(57)【特許請求の範囲】
【請求項１】
上面視半円形状に形成された一対の半割体を互いに突き合わせて上面視円形のカバー本体となし、突き合わせた両半割体をリングバネで結合するようにしたフランジ化粧カバーであって、
前記半割体は、上面視半円形状の上底部と、この上底部の弧部に連続する半筒状の周縁部とを有し、上底部の弦部中央には管を挿通可能な半円形状の挿通孔が形成されるとともに、周縁部の外側には前記リングバネを嵌め込みうる溝が周方向に沿って形成され、
該リングバネは、突き合わせた半割体における割り面の両端のうちいずれか一端にのみ跨がり、他端には跨がらないように嵌め込まれること
を特徴とするフランジ化粧カバー。
【請求項２】
リングバネの両端には、リングバネの内方に突出する係止爪が形成される一方、
半割体の溝には、前記係止爪を挿入しうる爪孔が形成されたこと
を特徴とする請求項１に記載のフランジ化粧カバー。
【発明の詳細な説明】
【０００１】
【発明の属する技術分野】
本発明は、床面や壁面から突出するように配設された給水管等の基端部に装着されるフランジ化粧カバーに関する。
【０００２】
【従来の技術】
給水や給湯のための配管を床面から立ち上げる場合、図４に示すように、管Ｐを床面Ｆに設置したフランジ継手Ｊに接合し、管Ｐに装着したフランジ化粧カバー（ワン座）Ｗをフランジ継手Ｊに被せてフランジ継手Ｊを隠している。このフランジ化粧カバーＷは、中央に管Ｐとほぼ同径の挿通孔を有する上面視円形の平らな椀状部材である。このフランジ化粧カバーＷは、管Ｐをフランジ継手Ｊに接合する前に管Ｐに装着され、管Ｐをフランジ継手Ｊに接合した後、管Ｐに沿って床面Ｆまで移動され、フランジ継手Ｊに被せられる。
【０００３】
【発明が解決しようとする課題】
このタイプのフランジ化粧カバーＷは、管Ｐをフランジ継手Ｊに接合する前にあらかじめ中央の挿通孔に管Ｐを挿通しておく必要があるとともに、配管後は、管Ｐを取り外さない限り着脱や交換ができないので、配管工事の施工上、不便が多い。
【０００４】
そこで、前記のようなフランジ化粧カバーＷを半円形状に二分割して、一対の半割体を組み合わせるようにしたものも利用されている。この半割タイプのフランジ化粧カバーは管Ｐを両側から挟み込むようにして装着できるので、配管後でも着脱や交換が可能である。しかしながら、半割体同士の結合は通常、割り面に爪部や受部を設けてそれらをかみ合わせるようにしているので、作業が面倒であり、結合が不完全になったり、一方の半割体を無くしたりするおそれがある。
【０００５】
そこで、本発明は、従来よりも容易かつ確実に結合することのできる、施工性に優れた半割タイプのフランジ化粧カバーを提供することを解決課題とする。
【０００６】
【課題を解決するための手段】
前記課題を解決するため、本発明のフランジ化粧カバーの構成は、上面視半円形状に形成された一対の半割体を互いに突き合わせて上面視円形のカバー本体となし、突き合わせた両半割体をリングバネで結合するようにしたフランジ化粧カバーであって、前記半割体は、上面視半円形状の上底部と、この上底部の弧部に連続する半筒状の周縁部とを有し、上底部の弦部中央には管を挿通可能な半円形状の挿通孔が形成されるとともに、周縁部の外側には前記リングバネを嵌め込みうる溝が周方向に沿って形成され、該リングバネは、突き合わせた半割体における割り面の両端のうちいずれか一端にのみ跨がり、他端には跨がらないように嵌め込まれることを特徴とする。
【０００７】
このフランジ化粧カバーは、管を挟むようにして一対の半割体を突き合わせ、周縁部の溝にリングバネを嵌め込んで結合するように構成されているので、きわめて容易に両半割体を結合することができる。また、リングバネによって結合された半割体同士は簡単には離れないので、取り付け精度も向上する。
【０００８】
この発明において、リングバネは、突き合わせた半割体における割り面の両端のうちいずれか一端にのみ跨がり、他端には跨がらないように嵌め込まれるのが好ましい。この構成は、開環状のリングバネの周長をカバー本体の全周よりも短く形成し、その不連続部が割り面の両端のうちいずれか一方に跨がるように配置したものである。この構成によれば、両半割体を突き合わせてその周縁部にリングバネを嵌め込んだ状態でも、割り面の両端のうちいずれか一方（前記他端）が開放端となり、この開放端をリングバネの弾性に抗して押し開くことができる。したがって、一対の半割体にあらかじめリングバネをセットしておき、割り面の開放端を開いて管に装着することができる。これにより、フランジ化粧カバーの装着作業がさらに容易になる。また、フランジ化粧カバーを管に装着した後でも、割り面の開放端を開いて半割体を管から取り外すこともできる。さらに、半割体の挿通孔に対して管の径が若干大きい場合でも、割り面の開放端が開くことにより無理なく管を挟み込めるので、寸法上の融通性も高い。
【０００９】
また、この発明において、リングバネの両端には、リングバネの内方に突出する係止爪が形成される一方、半割体の溝には、前記係止爪を挿入しうる爪孔が形成されるのが好ましい。これにより、リングバネがより確実に半割体の溝に嵌め込まれる。突き合わせた半割体における割り面の一端を挟むようにしてその両側に爪孔を形成すれば、リングバネがこの一端には跨がらないように位置決めされるので、前記した割り面の開放端の押し開きが確保され、また割り面を押し開く際にもリングバネが外れにくくなる。
【００１０】
なお、本発明のフランジ化粧カバーは、壁面から水平方向に突出するように配設された管に対しても装着可能である。
【００１１】
【発明の実施の形態】
以下、本発明の実施の形態について、図面を参照しつつ説明する。
【００１２】
図１は、本発明の実施の形態に係るフランジ化粧カバー１を示している。このフランジ化粧カバー１は、上面視半円形状の一対の半割体２，２と、これら半割体２，２を互いに突き合わせた状態で結合するリングバネ３とから構成される。各半割体２は、例えばステンレス鋼、真鍮、青銅、その他の非鉄金属または合成樹脂からなる部材で、上面視半円形状の上底部２１と、この上底部２１の弧部に連続する半筒状の周縁部２２とを有し、半径方向の断面が略Ｌ字状ないし略円弧状になるように形成されている。上底部２１における弦部（直線部）の中央には管Ｐを挿通可能な半円形状の挿通孔２３が形成されている。一対の半割体２，２を突き合わせると、挿通孔２３の形状が円形になり、ここに管Ｐが挿通される。このような一対の半割体２，２によって、フランジ化粧カバー１のカバー本体が構成される。
【００１３】
各半割体２の周縁部２２の外側には、外周全体にわたって溝２４が形成されており、この溝２４にリングバネ３が外側から嵌め込まれるようになっている。リングバネ３は、例えばステンレス鋼からなる部材で、略Ｃ字形の開環状に形成され、径を拡げようとする外力に対して反発弾性を発揮する。リングバネ３は、周長がカバー本体の全周よりもやや短くなるように形成されている。リングバネ３の両端には、リングバネ３の内方に突出する係止爪３１，３１が、リングバネ３を折曲して形成されている。一方、各半割体２の溝２４には、リングバネ３の係止爪３１を挿入させうる爪孔２５が形成されている。爪孔２５は、突き合わせた半割体２，２における割り面２６の両端のうちいずれか一方を挟む位置に相対して配置されている。したがって、突き合わせた半割体２，２の溝２４にリングバネ３を嵌め込んで、リングバネ３の係止爪３１，３１を溝２４の爪孔２５，２５にそれぞれ挿入すると、リングバネ３は、突き合わせた半割体２，２における割り面２６の両端のうちいずれか一方にのみ跨がり、他方には跨がらないように位置決めされる。こうして、突き合わせた半割体２，２における割り面２６の一方が開放端２７となる。この開放端２７は、リングバネ３の弾性に抗して若干押し開くことができるように保持される。
【００１４】
図２は、本発明の他の実施の形態に係るフランジ化粧カバー１を示している。このフランジ化粧カバー１は、両半割体２，２における割り面２６の一方に、互いに嵌め合い可能な凹凸部２８，２９をそれぞれ形成し、これら凹凸部２８，２９側の割り面２６にリングバネ３が跨がるようにしたものである。他の構成は、前記図１に示したフランジ化粧カバー１と同様である。
【００１５】
このように本発明のフランジ化粧カバー１は、互いに突き合わせた一対の半割体２，２をリングバネ３によって結合するように構成されているので、床面Ｆに設置されたフランジ継手Ｊに管Ｐを接合してからでも、その管Ｐを挟むようにして管Ｐの両側から半割体２，２を突き合わせ、その外側からリングバネ３を嵌め込むことにより、簡単に管Ｐに装着することができる。
【００１６】
さらに、突き合わせた半割体２，２における割り面２６の一端を開放端２７とすることにより、図３に示すように、あらかじめ一対の半割体２，２とリングバネ３をセットした状態で、半割体２，２の開放端２７を開いて管Ｐに装着することもできる。また、フランジ化粧カバー１を管Ｐに装着した後からでも、割り面２６の開放端２７を開いて半割体２，２を管Ｐから取り外すことができる。さらに、半割体２，２の挿通孔２３に対して管Ｐの径が若干大きい場合でも、割り面２６の開放端２７が開くことにより無理なく管Ｐを挟み込めるので、寸法上の融通性も高くなる。また、管Ｐへの装着作業に先立って一対の半割体２，２とリングバネ３とをセットしておくことができるので、部品の紛失も防ぐことができる。
【００１７】
【発明の効果】
本発明のフランジ化粧カバーは、カバー本体を構成する一対の半割体を互いに突き合わせて管を挟み、その周縁部の溝にリングバネを嵌め込んで結合するように構成されているので、きわめて容易に管に装着することができ、取り付け精度も向上する。
【００１８】
さらに、突き合わせた半割体の周縁部にリングバネを嵌め込むに際し、割り面の両端のうちいずれか一方にはリングバネが跨がらないようにすることで、割り面の開放端を押し開けるようにすることができる。これにより、一対の半割体にリングバネをセットしたままでも管への取り外しが可能になり、作業性が向上する。
【図面の簡単な説明】
【図１】本発明のフランジ化粧カバーの実施の形態を示す斜視図である。
【図２】本発明のフランジ化粧カバーの他の実施の形態を示す上面図である。
【図３】本発明のフランジ化粧カバーを管に装着する方法を示す説明図である。
【図４】従来のフランジ化粧カバーと、その装着状態を示す説明図である。
【符号の説明】
１    フランジ化粧カバー
２    半割体
２１  上底部
２２  周縁部
２３  挿通孔
２４  溝
２５  爪孔
２６  割り面
３    リングバネ
３１  係止爪
Ｐ    管
【図１】
0004662648.tif 000002
【図２】
0004662648.tif 000003
【図３】
0004662648.tif 000004
【図４】
0004662648.tif 000005